(57)【要約】【課題】簡単且つ迅速に連動設備機器の連動設定を行うことができる連動データ設定方法を提供する。【解決手段】火災を感知する複数の火災感知器３ａ、３ｂが感知器回線Ｌ１、…Ｌｎを介して接続される火災受信機２の感知器回線地区回路基板８に連動設定部を設け、連動設備機器回路（９、１０、１１）に連動設定入力用導通部を設け、連動設定入力用のコンタクト用リードピン１２により連動設定部および連動設定入力用導通部を順次接触して連動設定を行う。【選択図】  図３
2008192007.tif 000002
【特許請求の範囲】
【請求項１】
感知器回線および共通線を介して感知器が接続された感知器回線地区回路と、
火災検出した感知器回線に連動する連動設備機器が連動設備機器回線を介して接続された連動設備機器回路と、
連動設定モードの開始または解除を行うとともに連動設備機器回路の種別を選択する連動設定部とを備えており、該連動設定部に所定の操作を行って連動設定モードを開始するとともに連動設備機器の種別を選択して連動設定を行う火災受信機の連動設定方法において、
少なくとも所定の２カ所と接触可能な端部を有する導電材を使用して、該導電材の一方の端部を感知器回線地区回路の共通線接続部に接続し、さらに他方の端部を感知器回線地区回路の感知器回線接続部および連動設備機器回路の所定の導通部に順次接触させて連動設定を行うことを特徴とする火災受信機の連動設定方法。
【請求項２】
請求項１に記載の火災受信機の連動設定方法において、前記感知器回線地区回路は、感知器回線を接続する感知器回線接続端子と、共通線を接続する共通線接続端子を備え、
前記連動設備機器回路は、前記連動設備機器を接続する連動設備機器回線接続端子を備えており、
前記導電材の一方の端部を感知器回線地区回路の共通線接続部に接続し、さらに他方の端部を感知器回線地区回路の感知器回線接続部および前記連動設備機器回線接続端子に順次接触させて連動設定を行うことを特徴とする火災受信機の連動設定方法。
【請求項３】
請求項１に記載の火災受信機の連動設定方法において、前記感知器回線地区回路は、感知器回線を接続する感知器回線接続端子と、共通線を接続する共通線接続端子を備え、
前記連動設備機器回路は、前記連動設備機器を接続する連動設備機器回線接続端子および該連動設備機器回線接続端子と対応するとともに連動設定入力可能な連動設定導通部を備えており、
前記導電材の一方の端部を感知器回線地区回路の共通線接続部に接続し、さらに他方の端部を感知器回線地区回路の感知器回線接続部および前記連動設定導通部に順次接触させて連動設定を行うことを特徴とする火災受信機の連動設定方法。
【請求項４】
請求項２に記載の火災受信機の連動設定において、連動設備機器回路は、防排煙回路であり、該防排煙回路は、防排煙機器回線を接続する防排煙機器制御接続端子および防排煙応答線接続端子とを備えており、
前記導電材の一方の端部を感知器回線地区回路の共通線接続部に接続し、さらに他方の端部を感知器回線地区回路の感知器回線接続部および前記防排煙設備機器応答線接続端子に順次接触させて連動設定を行うことを特徴とする火災受信機の連動設定方法。
【請求項５】
請求項３に記載の火災受信機の連動設定において、連動設備機器回路は、地区音響回路であり、該地区音響回路は、地区音響回線を接続する地区音響回線接続端子と、
該地区音響回線接続端子と対応するとともに連動設定入力可能な地区音響回線連動設定導通部とを備えており、
前記導電材の一方の端部を感知器回線地区回路の共通線接続部に接続し、さらに他方の端部を感知器回線地区回路の感知器回線接続部および前記地区音響回線連動設定導通部に順次接触させて連動設定を行うことを特徴とする火災受信機の連動設定方法。
【請求項６】
請求項３に記載の火災受信機の連動設定において、連動設備機器回路は、他の設備機器へ火災警報を移報する移信回路であり、該移信回路は、移信信号回線を接続する移信信号回線接続端子と、
該移信信号回線接続端子と対応するとともに連動設定入力可能な移信連動設定導通部とを備えており、
前記導電材の一方の端部を感知器回線地区回路の共通線接続部に接続し、さらに他方の端部を感知器回線地区回路の感知器回線接続部および前記移信連動設定導通部に順次接触させて連動設定を行うことを特徴とする火災受信機の連動設定方法。
【発明の詳細な説明】
【技術分野】
【０００１】
本発明は、感知器回線や発信機が接続された回線からの火災検出信号を受信して火災警報を行う火災受信機や防排煙機器を制御する連動制御盤に係り、特に、火災信号を受信した時に、火災受信機と、地区音響制御線を介して接続された音響装置や、防排煙機器回線（防排煙制御線）を介して接続された防排煙端末機器を連動させる連動設定機能、さらには、非常放送設備などの他設備への移報・移信設定機能に関する。
【背景技術】
【０００２】
火災受信機は、火災受信機の地区回路基板が感知器や発信機などが接続された感知器回線から感知器作動や発信機の押動操作によって火災検出信号を受信すると、火災受信機の地区音響回路により該地区音響回路に接続されたベルなどの地区音響装置に鳴動信号を送出して鳴動させる。また、防火戸や排煙装置などの防排煙端末に作動制御信号を送出して作動させる。また、非常放送設備などへ火災が発生した旨の信号を移信する。
【０００３】
これら各種の連動設定データや移報設定データは、予め設定する必要があり、従来の、例えば比較的小規模な防災システム（または自動火災報知システム）では、火災受信機は地区回線と同数の端子および地区音響制御線と同数の端子が備えられ、リレーやダイオードマトリックッスなどによって火災報知設備機器の各種連動設定および移報・移信設定が行われていた。
また、従来の大規模なシステムにおいては、連動データ設定器やパソコンなどで予め火災受信機の連動設定データや移信設定データなどの設定データを作成し、作成した設定データを記憶体（ＰＲＯＭやフラッシュＲＯＭ）に格納して火災受信機に装着して転送するか、連動データ設定器やパソコンなどを直接火災受信機に接続し、それらを操作して各種のデータ設定・変更などを行っていた。
【発明の開示】
【発明が解決しようとする課題】
【０００４】
一方、特許文献１に開示されている所謂Ｐ型システムのように、火災受信機の操作部パネルまたは内部の設定用スイッチにより、設定モードに移行して、感知器回線に対応した地区音響装置や防排煙端末など各種の連動設定を行うことにより、現場で専用のデータ設定器を用意することなく、容易かつ確実にデータ設定ができるようになった。
【特許文献１】特開平１０−１９８８７４号
【０００５】
しかし、これらの方法による設定作業は、設定方法を熟知した者が、設定用のプレート部材を用意するとともに設定作業のひとつひとつに正確なスイッチ操作と確認を行う必要があり、煩雑かつ面倒であった。
また、各種連動設定モード時のスイッチ機能の変更プログラムや、設定用プレート部材が必要となるので、コストが嵩むという問題があった。
【０００６】
従って本発明は、上記課題を克服し、現場で、設定用の治具や設定用プレート部材を用いることなく、簡単かつ確実に防災受信機の各連動データ設定や移信データ設定あるいは変更を行うことが可能な防災受信機および方法を提供することを目的とする。
【課題を解決するための手段】
【０００７】
上記課題を解決するため、本発明の請求項１に記載の発明は、感知器回線および共通線を介して感知器が接続された感知器回線地区回路と、火災検出した感知器回線に連動する連動設備機器が連動設備機器回線を介して接続された連動設備機器回路と、連動設定モードの開始または解除を行うとともに連動設備機器回路の種別を選択する連動設定部とを備えており、該連動設定部に所定の操作を行って連動設定モードを開始するとともに連動設備機器の種別を選択して連動設定を行う火災受信機の連動設定方法において、少なくとも所定の２カ所と接触可能な端部を有する導電材を使用して、該導電材の一方の端部を感知器回線地区回路の共通線接続部に接続し、さらに他方の端部を感知器回線地区回路の感知器回線接続部および連動設備機器回路の所定の導通部に順次接触させて連動設定を行うことを特徴とする。
【０００８】
また、本発明の請求項２に記載の発明は、請求項１に記載の火災受信機の連動設定方法において、前記感知器回線地区回路は、感知器回線を接続する感知器回線接続端子と、共通線を接続する共通線接続端子を備え、前記連動設備機器回路は、前記連動設備機器を接続する連動設備機器回線接続端子を備えており、前記導電材の一方の端部を感知器回線地区回路の共通線接続部に接続し、さらに他方の端部を感知器回線地区回路の感知器回線接続部および前記連動設備機器回線接続端子に順次接触させて連動設定を行うことを特徴とする。
【０００９】
また、本発明の請求項３に記載の発明は、請求項１に記載の火災受信機の連動設定方法において、前記感知器回線地区回路は、感知器回線を接続する感知器回線接続端子と、共通線を接続する共通線接続端子を備え、前記連動設備機器回路は、前記連動設備機器を接続する連動設備機器回線接続端子および該連動設備機器回線接続端子と対応するとともに連動設定入力可能な連動設定導通部を備えており、前記導電材の一方の端部を感知器回線地区回路の共通線接続部に接続し、さらに他方の端部を感知器回線地区回路の感知器回線接続部および前記連動設定導通部に順次接触させて連動設定を行うことを特徴とする。
【００１０】
また、本発明の請求項４に記載の発明は、請求項２に記載の火災受信機の連動設定において、連動設備機器回路は、防排煙回路であり、該防排煙回路は、防排煙機器回線を接続する防排煙機器制御接続端子および防排煙応答線接続端子とを備えており、前記導電材の一方の端部を感知器回線地区回路の共通線接続部に接続し、さらに他方の端部を感知器回線地区回路の感知器回線接続部および前記防排煙設備機器応答線接続端子に順次接触させて連動設定を行うことを特徴とする。
【００１１】
また、本発明の請求項５に記載の発明は、請求項３に記載の火災受信機の連動設定において、連動設備機器回路は、地区音響回路であり、該地区音響回路は、地区音響回線を接続する地区音響回線接続端子と、該地区音響回線接続端子と対応するとともに連動設定入力可能な地区音響回線連動設定導通部とを備えており、前記導電材の一方の端部を感知器回線地区回路の共通線接続部に接続し、さらに他方の端部を感知器回線地区回路の感知器回線接続部および前記地区音響回線連動設定導通部に順次接触させて連動設定を行うことを特徴とする。
【００１２】
また、本発明の請求項６に記載の発明は、請求項３に記載の火災受信機の連動設定において、連動設備機器回路は、他の設備機器へ火災警報を移報する移信回路であり、該移信回路は、移信信号回線を接続する移信信号回線接続端子と、該移信信号回線接続端子と対応するとともに連動設定入力可能な移信連動設定導通部とを備えており、前記導電材の一方の端部を感知器回線地区回路の共通線接続部に接続し、さらに他方の端部を感知器回線地区回路の感知器回線接続部および前記移信連動設定導通部に順次接触させて連動設定を行うことを特徴とする。
【００１３】
本発明の請求項１乃至請求項６に記載された発明によれば、各種連動データ設定を行う場合に、火災受信機内に設定用の導通部と、例えば電線のような線状導電体を用いるだけで、データ設定ツールや専用又は併用の設定用スイッチを設けなくても、現場で、かつ、簡単に連動データ設定を行うことができる。
【発明の効果】
【００１４】
本発明によれば、火災受信機と各種の機能および各関連設備を連動制御する防災システムにおいて、簡単な治具を用いることにより、火災受信機の連動設定作業を簡単かつ確実に行うことができる。特に、実際の運用において、従来の設定用スイッチから入力する手法と比較して、現場に設定ツールなどを持ち込む必要はなく、少なくとも電線一本あれば連動設定を行うことが可能であり、格段に扱い易くなっている。
【発明を実施するための最良の形態】
【００１５】
以下、図１から図３を参照して本発明の実施の形態について詳細に説明する。
まず、防災システム１の構成を説明する。図１は防災システム１の簡単なシステム構成例を示す図である。図２は、防災システム１における火災受信機２の簡単な回路構成図である。図３は、本発明の連動設定方法を説明するために図２の火災受信機筐体の扉を開いた状態の各回路部を示す概略説明図である。
尚、各図において、同様の機能及び名称を有するものについては同じ番号が記載されている。
【００１６】
この防災システム１は、火災受信機２、感知器Ｓ（３ａ、３ｂ）、終端器７、音響装置Ｂ（４）および防排煙機器Ｄ（５）により構成されており、さらに、他の設備６へ移報可能な移報部（移信信号線ＬＴ１…ＬＴｎなど）から構成されている。なお、感知器Ｓとは、火災発生による煙や熱を検出して、火災の発生を検知する火災感知器等であり、音響装置Ｂとは、火災発生を報知するベルＢや警報ブサー等であり、防排煙機器Ｄとは、火災に対処するための防火扉や排煙ダクト等である。
【００１７】
火災受信機２には、複数の感知器回線Ｌ１〜Ｌｎと、複数の地区音響回線ＬＢ１〜ＬＢｎおよび複数の防排煙機器回線ＬＤ１〜ＬＤｎとが接続されている。また、他の設備機器へ火災信号を送る移信信号線（ＬＴ１…ＬＴｎ）が接続されている。
各感知器回線Ｌ１〜Ｌｎには、同一地区内に設置された１又は２以上の感知器Ｓ（３ａ、３ｂ）及び終端器Ｔ（７）が接続されている。また、各地区音響回線ＬＢ１〜ＬＢｎには、同一地区内に設置された１又は２以上の音響装置Ｂ（４）が接続されており、各防排煙機器回線ＬＤ１〜ＬＤｎには、同一地区内に設置された１又は２以上の防排煙機器Ｄ（５）が接続されている。その他の防災関連設備６（非常放送設備など）が移報回線ＬＴ１〜ＬＴｎ（移信回線）に接続されている。
【００１８】
なお、図１において、Ｌ１、ＬＢ１、ＬＤ１、ＬＴ１などは、各防災端末を接続する信号線の総称または代表する線として概略的に示している。また図２おいて、感知器回線Ｌ１〜Ｌｎの各共通線（Ｃ線、Ｃ１…Ｃ５）、防排煙機器回線Ｄ１、…、Ｄｎの応答線ＤＡ１〜ＤＡｎまたは防排煙機器共通線、地区音響回線Ｂ１〜Ｂｎの各共通線ＢＣ１〜ＢＣｎなどは周知であるため省略されている。
【００１９】
火災受信機２は、ビルの防災センターや集合住宅の管理人室等に設置され、建物全体の監視を行うものであり、いずれかの感知器回線Ｌ１〜Ｌｎから感知器Ｓ（３ａ、３ｂ）の動作に伴う発報信号を受信すると、その感知器回線Ｌ１〜Ｌｎとの連動関係が予め設定された防排煙機器回線ＬＤ１へ駆動信号（制御信号）を送出して、防排煙機器Ｄ（５）を駆動させるとともに、その感知器回線Ｌ１〜Ｌｎとの連動関係が予め設定された地区音響回線ＬＢ１〜ＬＢｎへ鳴動信号を送出して、音響装置Ｂ（４）を鳴動させる。
【００２０】
図１は、図２に示した火災受信機２の内部構成について、その要部の一構成例を示したブロック図である。この火災受信機２は、ＣＰＵ部（中央制御処理部）２１と、入出力部３１ａ〜３１ｄ及びメモリ２２〜２４とが、データバス及びアドレスバスを介して接続されている。
【００２１】
メモリ２２、２３は、プログラムの格納用又は作業用のメモリであり、メモリ２２がＲＯＭ、メモリ２３がＲＡＭとして構成される。メモリ２４は、連動設定に関するデータを格納するためのメモリであり、ＲＯＭ、ＲＡＭ、ＥＥＰＲＯＭ又はフラッシュメモリとして構成することができる。
【００２２】
図３は、火災受信機２の筐体扉を開いた状態の各回路部（各回路基板）を示す概略説明図である。火災受信機２は、各感知器Ｓ（３ａ、３ｂ）へ電源供給し、発報信号などを受信して処理する感知器回線地区回路８（火報回線ＰＣＢ、５回線）、防排煙機器Ｄ（５）へ制御信号を送出し、防排煙機器Ｄ（５）から駆動応答信号を受信して処理する防排煙回路９（防排煙ＰＣＢ、５回線）、各地区音響装置Ｂ（４）または全ての地区音響装置を鳴動させる地区音響回路１０（ベルＰＣＢ、５回線）、他の設備機器へ火災信号などを送出する移信回路１１（移信ＰＣＢ、１０回線）を備えている。
【００２３】
図３に示されるように、感知器回線地区回路８（火報回線ＰＣＢ：５回線）は、感知器共通線Ｃ１〜Ｃ５を接続する感知器回線接続端子８ａ（Ｃ線接続端子：Ｃ１〜Ｃ５）および感知器回線Ｌ１〜Ｌ５を接続する感知器回線接続端子８ｂ（Ｌ線接続端子：Ｌ１〜Ｌ５）を基板の左側に備えており、感知器回線接続端子８ａ、８ｂの右側には、接続された感知器回線の接続端子（Ｃ１…、Ｌ１…）の配列に対応して回線接続端子番号が表示された感知器回線（Ｃ線）番号表示部８ｃ（シルク表示部Ｃ１〜Ｃ５）および感知器回線接（Ｌ線）番号表示部８ｄ（シルク表示部Ｌ１〜Ｌ５）を備えている。
そして、感知器回線番号表示部８ｃ、８ｄの右側には、連動設定入力を行う感知器「設定開始／解除」用導通部（ランド）８ｅ、「防排煙連動」設定入力用導通部（ランド）８ｆ、「地区音響連動」設定入力用導通部（ランド）８ｇ、「移信連動」設定入力用導通部（ランド）８ｈ、「確定」設定入力用導通部（ランド）８ｉを縦一列に配置して備えている。
【００２４】
また、防排煙回路９（防排煙ＰＣＢ：５回線、ＬＤ１〜ＬＤ５）は、防排煙機器回線Ｄ１〜Ｄ５（制御線）を接続する防排煙回線接続端子９ｂ（制御線接続端子：Ｄ１〜Ｄ５）および駆動した防排煙機器から駆動応答信号が送出される防排煙機器回線ＤＡ１〜ＤＡ５（応答線）を接続する防排煙回線接続端子９ａ（応答線接続端子：ＤＡ１〜ＤＡ５）を基板の左側に備えており（図３）、さらに防排煙回線接続端子９ａ、９ｂの右側には、接続された防排煙回線の接続端子（ＤＡ１…、Ｄ１…、）の配列に対応して回線接続端子番号が表示された防排煙回線（応答線）番号表示部９ｃ（シルク表示部ＤＡ１〜ＤＡ５）および防排煙回線（制御線）番号表示部９ｄ（シルク表示部Ｄ１〜Ｄ５）を備えている。
【００２５】
また、地区音響回路１０（ベルＰＣＢ：５回線、ＬＢ１〜ＬＢ５）は、地区音響回線ＢＣ１〜ＢＣ５（ベル共通線）を接続する地区音響回線接続端子１０ａ（ベル共通線接続端子：ＢＣ１、…ＢＣ５）および地区音響回線Ｂ１〜Ｂ５（ベル線）を接続する地区音響回線接続端子１０ｂ（ベル線接続端子：Ｂ１、…Ｂ５）を基板の左側に備えており（図３）、さらに地区音響回線接続端子１０ａ、１０ｂの右側に、接続された地区音響回線の接続端子（ＢＣ１…、Ｂ１…）の配列に対応する回線接続端子番号が表示された地区音響回線（ベル共通線）番号表示部１０ｃ（シルク表示部ＢＣ１〜ＢＣ５）および地区音響回線（ベル線）番号表示部１０ｄ（シルク表示部Ｂ１〜Ｂ５）を備えている。
また、地区音響回線番号表示部１０ｃ、１０ｄの右側に、連動設定入力を行うための地区音響回線（ベル線）連動入力用導通部（ランド）１０ｅを備えている。そして、この地区音響回線（ベル線）連動入力用導通部（ランド）１０ｅには、地区音響回線番号に対応した「ベル１、…、ベル５」の連動入力用導通部（ランド）と、さらに全ての地区音響装置（全てのベル）を鳴動させる全館鳴動を連動設定入力可能な「全館」連動入力用導通部（ランド）が設けられている。
【００２６】
また、移信回路１１（移信ＰＣＢ、１０回線、ＬＴ１〜ＬＴ１０）は、他の設備への移信信号線Ｉ１〜Ｉ１０（制御線）を接続する移信信号線接続端子１１ａ（Ｉ１〜Ｉ１０）を基板の左側に備えており（図３）、さらに移信信号線接続端子１１ａの右側に、接続された移信信号線の接続端子（Ｉ１…、Ｉ１０）に対応する回線接続端子番号が縦二列に表示された移信信号線番号表示部１１ｂ（シルク表示部Ｉ１、…Ｉ１０）を備えている。また、移信信号線番号表示部１１ｂの右側に、移信信号線番号表示部１１ｂの表示態様に対応した連動設定入力を行うための移信信号線入力用導通部（ランド）１１ｃを備えている。
【００２７】
なお、感知器「設定開始／解除」用導通部（ランド）８ｅ、「防排煙連動」入力用導通部（ランド）８ｆ、「地区音響連動」入力用導通部（ランド）８ｇ、「移信連動」入力用導通部（ランド）８ｈ、「確定」設定入力用導通部（ランド）８ｉについては、感知器回線地区回路８以外の回路基板上に設けてもよい。
【００２８】
次に、本発明の連動設定方法について説明する。連動設定用治具（所定の２カ所と接触して導通可能とする端部を有する導電材）として、コンタクト用リードピン１２を使用する。コンタクト用リードピン１２は、湾曲自在な導電線材であり、接続固定用のクリップ１２ｂとポイント入力設定用のピン部１２ａを備えている。なお、連動設定用の治具の線状部は湾曲自在のものであればよく、例えば電話線のようなコード状の物でも良いし、メジャーの様な巻き取り方式の導電材でも良い。
【００２９】
（連動データ設定手順）
「１．連動設定モード設定および回線選択設定」
（ａ）地区回路８の接続端子Ｃ１にコンタクト用リードピン１２のクリップ１２ｂを接続固定する。続いて、「連動設定開始／解除」入力用導通部（ランド）８ｅにコンタクト用リードピン１２のピン部１２ａを接触させ、導通させる（以下「チェックする」という）（連動設定モード設定）。
【００３０】
（ｂ）続いて、シルク表示８ｄにより感知器回線接続端子８ａの回線端子Ｌ１の位置を確認してチェックする。
ＣＰＵ２１は、「連動設定開始／解除」入力用導通部８ｅの入力を受けて、連動設定モードに移行し、さらに回線Ｌ１端子がチェックされことにより回線Ｌ１に関する連動設定モードとなる（連動元回線選択設定）。
このとき、火報地区表示灯を点滅させる。［回線（地区窓）Ｌ１］）
なお、連動データ設定モード中は、各種警報や移信を出力しないようにする。また、連動設定モードに移行中、設定中の感知器回線番号、連動種別等の各種状態を表示するＬＥＤ等を各回路基板に設けてもよい。
【００３１】
「２．防排煙連動設定」
（ｃ）次に、地区回路８の右側の「防排煙連動」入力用導通部（ランド）８ｆをピン部１２ａでチェックして、防排煙の連動を選択する。
ＣＰＵ２１は、防排煙連動設定モードに移行する。
なお、本防排煙連動設定例では、感知器回線Ｌ１から発報信号を受信したときに、感知器回線Ｌ１の発報に連動して連動防排煙回線（制御線）Ｄ２、Ｄ５が連動するように設定する。すなわち、防排煙機器回線Ｄ２、Ｄ５を介して接続された防排煙端末機器５、５が駆動信号を受信して作動するとともに、応答線ＤＡ２、ＤＡ５へそれぞれ応答信号を出力するように設定する。
【００３２】
（ｄ）防排煙回路９の防排煙機器回線接続端子（応答線接続端子）９ａの応答線ＤＡ２およびＤＡ５を）をチェックする。応答線接続端子ＤＡ２およびＤＡ５の位置は、応答線シルク表示部９ｃで確認することができる。
このとき、防排煙地区表示灯点滅させる。すなわち、火災受信機２の盤面のＤ２およびＤ５に対応する防排煙地区表示灯を点滅させる（表示部２８）。
なお、防排煙端末機器応答線接続端子９ａは入力端子であるので、信号入力可能であり、連動設定モード中においては、連動設定入力用導通部となる。
【００３３】
（ｅ）表示部２８で防排煙連動先の設定が間違っていることを確認した場合には、ピン部１２ａで地区回路（火報ＰＣＢ）８の「設定開始／解除」入力用導通部（ランド）８ｅを再度チェックする。これにより、設定した防排煙連動先データを解除することができる。
【００３４】
（ｆ）次に、地区回路８の「確定」入力用導通部（ランド）８ｉをピン部１２ａによりチェックする。この確定入力により、ＣＰＵ２１は、感知器回線Ｌ１発報時の防排煙機器連動先データとして、防排煙機器回線Ｄ２、Ｄ５をＥＥＰＲＯＭ２４に記憶する（連動先防排煙機器設定終了）。
【００３５】
「３．地区音響連動設定」
（ｇ）続いて、地区音響回線の連動設定を説明する。
ここで、地区音響回線１０は、防排煙機器応答線接続端子９ａのような確認用入力端子を備えていないため、連動設定入力用の導通部と入力回路を予め設けておく必要がある。すなわち、地区音響回路１０は、地区音響回線（ベル線）連動設定入力用導通部（ランド）１０ｃと連動設定入力回路（図示せず）を備えている。
【００３６】
（ｈ）まず、地区回路８の地区音響回線（ベル線）連動入力用導通部（ランド）８ｇをチェックする。ＣＰＵ２１は、地区音響連動設定モードに移行する。
なお、本地区音響連動設定例では、感知器回線Ｌ１から発報信号を受信したときに、感知器回線Ｌ１の発報に連動して地区音響回線ＬＢ４が連動するように設定する。すなわち、地区音響回線ＬＢ４（ベル線Ｂ４、ベル共通線ＢＣ４）を介して接続された地区ベル４、４が駆動信号を受信して作動（鳴動）するように設定する。
【００３７】
（ｊ）地区音響回路１０の地区音響回線接続端子１０ａ、１０ｂの右側に縦一列に設けられた地区音響回線（ベル線）入力用導通部（ランド）１０ｃの「ベル４」のランドをピン部１２ａによりチェックする。
このとき、地区音響回線表示灯を点滅させる。すなわち、火災受信機２の盤面のＬＢ４に対応する地区音響回線表示灯を点滅させる（表示部２８）。
なお、感知器回線Ｌ１の発報の際に全てのベル（全地区音響回線ＬＢ１〜ＬＢ５）を鳴動させたい場合は、地区音響回線（ベル線）入力用導通部（ランド）１０ｃの「全館」のランドをピン部１２ａによりチェックする。
【００３８】
（ｊ）表示部２８で地区音響連動先の設定が間違っていることを確認した場合には、ピン部１２ａを地区回路（火報ＰＣＢ）８の「設定開始／解除」入力用導通部（ランド）８ｅに再度チェックする。これにより、設定した地区音響連動先データを解除することができる。
【００３９】
（ｋ）次に、地区回路８の「確定」入力用導通部（ランド）８ｉをピン部１２ａによりチェックする。この確定入力により、ＣＰＵ２１は、感知器回線Ｌ１発報時の地区音響回線連動先データとして、地区音響回線ＬＢ４をＥＥＰＲＯＭ２４に記憶する（連動先地区音響設定終了）。
【００４０】
また、移信回路１１（移信ＰＣＢ、１０回線、ＬＴ１〜ＬＴ１０）は、他の設備への移信信号線Ｉ１〜Ｉ１０（制御線）を接続する移信信号線接続端子１１ａ（Ｉ１〜Ｉ１０）を基板の左側に備えており（図３）、さらに移信信号線接続端子１１ａの右側に、接続された移信信号線の接続端子（Ｉ１…、Ｉ１０）に対応する回線接続端子番号が縦二列に表示された移信信号線番号表示部１１ｂ（シルク表示部Ｉ１、…Ｉ１０）を備えている。また、移信信号線番号表示部１１ｂの右側に、移信信号線番号表示部１１ｂの表示態様に対応した連動設定入力を行うための移信信号線入力用導通部（ランド）１１ｃを備えている。
【００４１】
なお、感知器「設定開始／解除」用導通部（ランド）８ｅ、「防排煙連動」入力用導通部（ランド）８ｆ、「地区音響連動」入力用導通部（ランド）８ｇ、「移信連動」入力用導通部（ランド）８ｈ、「確定」設定入力用導通部（ランド）８ｉについては、感知器回線地区回路８以外の回路基板上に設けてもよい。
【００４２】
「４．移信連動設定」
（ｌ）続いて、移信回線の連動設定を説明する。
ここで、移信回路（移信ＰＣＢ）１１は、防排煙機器応答線接続端子９ａのような確認用入力端子を備えていないため、連動設定入力用の導通部と入力回路を予め設けておく必要がある。すなわち、移信回路１１は、移信信号線連動入力用導通部（ランド）１１ｃと連動設定入力回路（図示せず）を備えている。
【００４３】
（ｍ）まず、地区回路８の移信信号線連動入力用導通部（ランド）８ｈをチェックする。ＣＰＵ２１は、移信連動設定モードに移行する。
なお、本地移信信号連動設定例では、感知器回線Ｌ１から発報信号を受信したときに、感知器回線Ｌ１の発報に連動して移信信号線ＬＴ２が接点を閉じるように設定する。すなわち、移信信号線ＬＴ２を介して接続された他の設備機器６へ火災警報を移報するように設定する。
【００４４】
（ｎ）移信回路１１の地区音響回線接続端子１１ａおよび移信信号線接続端子番号表示部１１ｂの右側に縦二列に設けられた移信信号線連動入力用導通部（ランド）１１ｃの「移信２」のランドをピン部１２ａによりチェックする。
このとき、移信回線表示灯を点滅させる。すなわち、火災受信機２の盤面のＬＴ２に対応する移信回線表示灯を点滅させる（表示部２８）。
【００４５】
（ｏ）表示部２８で移信連動先の設定が間違っていることを確認した場合には、ピン部１２ａを地区回路（火報ＰＣＢ）８の「設定開始／解除」入力用導通部（ランド）８ｅに再度チェックする。これにより、設定した移信連動先データを解除することができる。
【００４６】
（ｐ）次に、地区回路８の「確定」入力用導通部（ランド）８ｉをピン部１２ａによりチェックする。この確定入力により、ＣＰＵ２１は、感知器回線Ｌ１発報時の移信連動先データとして、移信回線ＬＴ２（の接点を閉じること）をＥＥＰＲＯＭ２４に記憶する（移信連動先設定終了）。
【００４７】
（ｑ）以上で、感知器回線Ｌ１に連動する各連動設備機器の設定が完了する。連動種別設定完了により、ＣＰＵ２１は、連動設定モードから通常監視モードへ移行する。
【００４８】
また、本実施形態においては、連動設定モードに設定（移行）して連動種別を選択後、連動元の感知器回線を選択した場合、既に選択されている回線がある場合は、当該表示灯が点滅して、連動データを確認することができる。また、連動設定モード状態で、所定時間以上の入力が無い場合は、連動データ設定モードが解除される構成としても良い。
【００４９】
上述した連動設定方法であれば、煩雑なスイッチを何度も操作する必要が無く、最初に連動する種類を選ぶだけで、非常に簡単且つ素早く連動データを設定しうることができる。すなわち、専用または併用のスイッチを設ける必要がなく、電線のようなものだけを使用し連動てデータ設定が可能となる。さらには、コンパス状の導電材を使用しても簡単に連動データの設定を行うことができる。
【産業上の利用可能性】
【００５０】
本発明は、防災システムの連動設定以外のデータ設定を行う場合にも適用できる。また、防犯システムの異常監視制御装置などのデータ設定にも適用できる。
【図面の簡単な説明】
【００５１】
【図１】本発明の防災システムの回路構成図である。
【図２】本発明の火災受信機２の概略回路構成図である。
【図３】本発明の連動設定方法を説明する操作説明図である。
【符号の説明】
【００５２】
１          防災システム
２          火災受信機
３ａ、３ｂ  火災感知器
４          ベル（地区音響装置）
５          防排煙端末
６          その他の設備（非常放送設備など）
７          終端器
Ｌ１、  …  Ｌｎ      感知器回線
ＬＢ１、…  ＬＢｎ    地区音響回線（ベル線）
ＬＤ１、…  ＬＤｎ    防排煙端末回線
ＬＴ１、…  ＬＴｎ    他の設備への移信信号線
８          感知器回線地区回路（火報回線ＰＣＢ）
８ａ        感知器回線接続端子（Ｃ線（共通線）接続端子）
８ｂ        感知器回線接続端子（Ｌ線接続端子）
８ｃ        感知器回線（Ｃ線（共通線））番号表示部
８ｄ        感知器回線（Ｌ線）番号表示部
８ｅ      「設定開始／解除」入力用導通部（ランド）
８ｆ      「防排煙連動」入力用導通部（ランド）
８ｇ      「地区音響連動」入力用導通部（ランド）
８ｈ      「移信連動」入力用導通部（ランド）
８ｉ      「確定」入力用導通部（ランド）
９          防排煙回路（防排煙ＰＣＢ）
９ａ        防排煙機器回線（応答線：ＤＡ）接続端子
９ｂ        防排煙機器回線（制御線：Ｄ）接続端子
９ｃ        防排煙回線（応答線）番号表示部（応答線シルク）
９ｄ        防排煙回線（制御線）番号表示部（制御線シルク）
１０        地区音響回路（ベルＰＣＢ）
１０ａ      地区音響共通線（ベル共通線：ＢＣ）接続端子
１０ａ      地区音響回線（ベル共通線：ＢＣ）接続端子
１０ｂ      地区音響回線（ベル線：Ｂ）接続端子
１０ｃ      地区音響回線（ベル共通線：ＢＣ）番号表示部
１０ｄ      地区音響回線（ベル線：Ｂ）番号表示部
１０ｅ      地区音響回線（ベル線）連動入力用導通部（ランド）
１１        移信回路（移信ＰＣＢ）
１１ａ      移信信号線接続端子
１１ｂ      移信信号線番号表示部
１１ｃ      移信信号線連動入力用導通部（ランド）
１２        コンタクト用リードピン
１２ａ      ピン部
１２ｂ      クリップ部
１２ｃ      導線
【図１】
2008192007.tif 000003
【図２】
2008192007.tif 000004
【図３】
2008192007.tif 000005